(57)【要約】      （修正有）【課題】カッティングマシンの付帯装置に係り、材料シートのローダー機能と製品シートのアンローダー機能とを一体的に具備した装置に関し、ローダーとアンローダー備えた従来設備に比べて設置面積を半減する。【解決手段】布のような薄い膜を利用して下面側を覆いつつカット済シートを受取り積載場所まで搬送し、次いで、積載したままの状態でシートの下にある膜を自動的に引抜くことで積載完了するので、カットされた部分の抜け落ちを効果的に防止することができ、また簡素でコスト安な装置である。【選択図】図１
2019034839.tif 000002
【特許請求の範囲】
【請求項１】
カッティングマシンへ投入される前の材料シートを積載する下段リフターと、カッター機から搬出されてくるカット済シートを積載する上段リフターとを備えたカッティングマシン用ローダーアンローダー装置であって、
それぞれのリフターが積載シートの上面位置と、カッティングマシンの搬入出位置とに関連して高さ調整できる制御機構を含み、下段リフターの最上に位置する材料シートをカッター機に供給するローダー機構を備え、カッティング機から搬出されてくるカット済シートを受取って前記上段リフター上に順次と積上げていくアンローダー機構を備え、
前記アンローダー機構は、前記カット済シートの幅を超えて延在し、その両端を任意の駆動機構に連結して前記搬送方向に往復動するクロスバーを備え、該クロスバーに一端が取りつけられ他端はフリーの状態にした大判の薄膜を設け、前記クロスバーの移動に伴って薄膜の上面で前記カット済シートを受取り、薄膜の下面側を積載済みシートの上面で支持した状態で搬送し、積上げ場所まで搬送した後、前記薄膜を引抜くことで積上げていくことを特徴とするカッティングマシン用ローダーアンローダー装置。
【請求項２】
カッティングマシンへ投入される前の材料シートを積載する下段リフターと、カッター機から搬出されてくるカット済シートを積載する上段リフターとを備えたカッティングマシン用ローダーアンローダー装置であって、
それぞれのリフターが、積載シートの上面位置とカッティングマシンの搬入出位置とに関連して高さ調整できる制御機構を含み、下段リフターの最上に位置する材料シートをカッター機に供給するローダー機構を備え、カッティング機から搬出されてくるカット済シートを受取って前記上段リフター上に順次と積上げていくアンローダー機構を備え、
前記アンローダー機構は、前記シートの幅を超えて延在し、積上げ場所の手前位置から後方位置まで往復動するクロスバーを備え、該クロスバーに一端が取りつけられ他端はフリー状態にした大判の薄膜を設け、前記積上げ場所の手前位置に前方ターン棒、後方位置に後方ターン棒を備え、それぞれのターン棒を前記クロスバーの往復動軌道を横切って上下動自在に構成し、前方ターン棒はクロスバーが往動するに先立って上から下に、後方ターン棒はクロスバーが復動するに先立って上から下に位置変更する位置変更機構を備え、前記クロスバーの往動に伴って薄膜の上面で前記シートを受取り、薄膜の下面側で積載済みシートの上面で支持した状態で搬送し、積上げ場所まで搬送した後、前記クロスバーの復動に伴って前記積載済みシートの下にある薄膜を引抜くことで積上げていくことを特徴とするカッティングマシン用ローダーアンローダー装置。
【請求項３】
薄膜の幅より広い距離を隔てた丸棒の端部にベアリングを嵌装してターン棒を構成し、クロスバーの往復動軌跡の上側と下側に前記ベアリングを把持するクランプを備え、更に前記ターン棒を上下に位置移動させる位置変更機構を備えて構成したことを特徴とする請求項２に記載したカッティングマシン用ローダーアンローダー装置。
【請求項４】
クロスバーが復動している間はリフターを所定寸法だけ下げ、往動している間は積載済みシートの上面が所定の位置を維持するように制御する制御機構を備えて構成したことを特徴とする請求項２または３に記載したカッティングマシン用ローダーアンローダー装置。
【発明の詳細な説明】
【技術分野】
【０００１】
本発明は、主として、カッティングマシンの付帯設備として利用されるローダーアンローダー装置に関する。具体的には、積載された材料シートを一枚ずつカッティングマシンに供給し、次に、加工が完了したカット済シートを当該カッティングマシンから受取って、順次と積載する装置に関する。前者はローダー、後者はアンローダーと称されるが、本願発明はそれら機能を一体的に具備した装置に関する。
【背景技術】
【０００２】
一般的に、段ボール函を製造する業界等では量産に先立って１個２個の試作品を作って客先承認を得る商習慣がある。そのために設備導入されてきた経緯から、係るカッティングマシンをしてサンプルカッターと称されることもある。そして係る装置では、１日あたりの試作数も増える傾向にあり、大量でない製品製作にも頻繁に使われるようになってきた。昼間はＣＡＤデーターを作り、夜に自動運転、複数台を設備して本格的な生産機として運用したいという需要も出てきている。尚、紙器（紙箱等）や段ボール業界では0.3〜8ｍｍ程度、発泡樹脂を型切りする業界では3〜70ｍｍ厚の材料シートを扱う。また、平面サイズとしては1600ｍｍｘ2600ｍｍという具合に、総じて大判サイズである。そのため、周知の供給機と一般的な製品スタッカーをカッティングマシンの前後に付帯的に設備すると、少なくとも、材料シートの２倍という広い面積が加算されてしまう。
【０００３】
係る業界では、型切り形状をＣＡＤ図面化し、次いでそのデーターに基づいてカッターが運転される。切断だけでなく、ミシン目、筋入れなどの加工も行い、切断抵抗を低減する加振機構を備えた振動カッター機が主流である。また、ナイフによるカッティングだけでなくレーザー切断やウォータージェット切断などのカッティングマシンも利用されはじめた。尚、ここで注目すべきは、これらの加工を終えた段階では、カス取りしないことである。材料シートに対して、所定の型切り加工は行うも、完了して後は、カッター機からそのまま搬出して順次と積載すれば足りるとされている。
【先行技術文献】
【特許文献】
【０００４】
【特許文献１】特開2009-202979号公報
【特許文献２】特開2005-179031平号公報
【発明の概要】
【発明が解決しようとする課題】
【０００５】
本発明の解決課題は、ローダー機能とアンローダー機能を兼備した装置を提供することで、カッティングマシンの付帯設備として省スペース化を図ることである。また加工済みシートから型切りした部分の抜け落ちを防ぎつつ到来するシートを順次と積載していくことが可能な装置を提供することである。即ち、抜け落ちするリスクを可及的に低減した簡素で安価な機構を新規開発して具現化し、係る業界に提供せんとするものである。
尚、先行特許文献では対象がシート体であるものの、その上面をして着磁搬送あるいはバキューム搬送する構成であるため、非常に大掛かりな技術が開示されている。しかし斯様な技術は、重厚かつ高価過ぎて本願技術分野には馴染まない。
【課題を解決するための手段】
【０００６】
本発明は、カッティングマシンへ投入される前の材料シートを積載する下段リフターと、カッター機から搬出されてくるカット済シートを積載する上段リフターとを兼備したカッティングマシン用ローダーアンローダー装置であって、それぞれのリフターが積載シートの上面位置と、カッティングマシンの搬入出位置とに関連して高さ調整できる制御機構を含み、下段リフターの最上に位置する材料シートをカッター機に供給するローダー機構を備え、カッティング機から搬出されてくるカット済シートを受取って前記上段リフター上に順次と積上げていくアンローダー機構を備え、前記アンローダー機構は、前記カット済シートの幅を超えて延在し、その両端を任意の駆動機構に連結して前記搬送方向に往復動するクロスバーを備え、該クロスバーに一端が取りつけられ他端はフリーの状態にした大判の薄膜を設け、前記クロスバーの移動に伴って薄膜の上面で前記カット済シートを受取り、薄膜の下面側を積載済みシートの上面で支持した状態で搬送し、積上げ場所まで搬送した後、前記薄膜を引抜くことで積上げていくことを特徴とするカッティングマシン用ローダーアンローダー装置を提案する。
【０００７】
また、カッティングマシンへ投入される前の材料シートを積載する下段リフターと、カッター機から搬出されてくるカット済シートを積載する上段リフターとを備えたカッティングマシン用ローダーアンローダー装置であって、それぞれのリフターが、積載シートの上面位置とカッティングマシンの搬入出位置とに関連して高さ調整できる制御機構を含み、下段リフターの最上に位置する材料シートをカッター機に供給するローダー機構を備え、カッティング機から搬出されてくるカット済シートを受取って前記上段リフター上に順次と積上げていくアンローダー機構を備え、前記アンローダー機構は、前記シートの幅を超えて延在し、積上げ場所の手前位置から後方位置まで往復動するクロスバーを備え、該クロスバーに一端が取りつけられ他端はフリー状態にした大判の薄膜を設け、前記積上げ場所の手前位置に前方ターン棒、後方位置に後方ターン棒を備え、それぞれのターン棒を前記クロスバーの往復動軌道を横切って上下動自在に構成し、前方ターン棒はクロスバーが往動するに先立って上から下に、後方ターン棒はクロスバーが復動するに先立って上から下に位置変更する位置変更機構を備え、前記クロスバーの往動に伴って薄膜の上面で前記シートを受取り、薄膜の下面側で積載済みシートの上面で支持した状態で搬送し、積上げ場所まで搬送した後、前記クロスバーの復動に伴って前記積載済みシートの下にある薄膜を引抜くことで積上げていくことを特徴とするカッティングマシン用ローダーアンローダー装置を提供する。
【０００８】
更に、薄膜の幅より広い距離を隔てた丸棒の端部に一対のベアリングを嵌装してターン棒を構成し、クロスバーの往復動軌跡の上側と下側に前記ベアリングを把持する一対のグリッパーを備え、更に前記ターン棒を上下に位置移動させる昇降機構を備えて、位置変更機構を構成したことを特徴とするカッティングマシン用ローダーアンローダー装置を提供し、更にクロスバーが復動している間はリフターを所定寸法だけ下げ、往動している間は積載済みシートの上面が所定の位置を維持するように制御する制御機構を構成したことを特徴とするカッティングマシン用ローダーアンローダー装置を提供する。
【発明の効果】
【０００９】
ローダーとアンローダーを格別に付帯させると、少なくとも大判シート２枚分の面積を必要とする。それに対して、本願装置は両方を兼備する構成であるため省スペース効果が著しい。また、型切りされたものを平面内に包含したしたままのカット済みシートは、カッター機のテーブル上では平面状態を維持しているものの、裏面にテーブル等の受け部材が無い場所に移動したりすると、型切り部分が抜け落ちする可能性が生じる。簡単に抜け落ちするかどうかは、切取り形状、シート厚さ、材質等に依存するものの、落ちきらずに部分的に転回して立ち上がってしまうこともある。そして、部分的であっても斯様な凸部を招起してしまうと以後、整然としたシートの積載は期待できない。
本願発明は、シートの裏面を常に布のような薄膜で全面的にカバーしながら搬送できることが特徴的である。また、搬送中の前記薄膜は、積載済みのシート上面でバックアップされているので概ねシート下面側に無用な空間を惹起しない。また、薄膜を介した状態で一時的にスタッキングした後にあっては、その薄膜の全面をして引抜くことができるので、この段階でも抜け落ちリスクを招来しない。従って、極めて合理的に抜け落ちを防止することができる。同時に、原理的に重厚な部材を必要とせず、安価な装置を提供することができる。
【図面の簡単な説明】
【００１０】
【図１】は本願装置を説明するための正面図
【図２】は本願装置を説明するための平面図
【図３】は実施例装置のローダー機構を説明するための説明図
【図４】は実施例装置のローダー機構を説明するための説明図
【図５】は実施例装置のローダー機構を説明するための説明図
【図６】は実施例装置の主としてアンローダー機構について説明するための説明図
【図７】は実施例装置の主としてアンローダー機構について説明するための説明図
【図８】は実施例装置の主としてアンローダー機構について説明するための説明図
【図９】は実施例装置の主としてアンローダー機構について説明するための説明図
【図１０】は実施例装置の主としてアンローダー機構について説明するための説明図
【図１１】は実施例装置の主としてアンローダー機構について説明するための説明図
【図１２】は実施例装置の主としてアンローダー機構について説明するための説明図
【図１３】は実施例装置の主としてアンローダー機構について説明するための説明図
【図１４】は実施例装置の主としてアンローダー機構について説明するための説明図
【図１５】は実施例装置の主としてアンローダー機構について説明するための説明図
【図１６】は実施例装置の主としてアンローダー機構について説明するための説明図
【図１７】は実施例装置の主としてアンローダー機構について説明するための説明図
【図１８】は実施例装置の主としてアンローダー機構について説明するための説明図
【図１９】は実施例装置の主としてアンローダー機構について説明するための説明図
【発明を実施するための形態】
【実施例】
【００１１】
以下、本願発明の実施例装置について詳細に説明する。
図1は、好ましい実施例装置の正面図である。本装置は40で指す下段リフターと、50で指す上段リフターを備えている。前者は加工前の材料シート42を、後者はカッティングマシンで加工された後の加工済シート52を積載する。図では前者を油圧シリンダー駆動のテーブルリフターで構成したものを図示しているが、後者はチェーン等による吊り下げ式等任意の方式で構成される。そして、下段リフター40上にある最上の材料シート41を紙面右側にあるカッティングマシン（図示せず）に供給し、次いで加工後は、紙面右側から左方へ搬出されてくる加工済シートを上段リフター50の最上位置に積載していく。端的に言うと、下段から一枚供給し、加工後は上段に積載収納していく方式である。従って、図1にあっては、全量の約40％程度が加工済みになった時点を図示している。
【００１２】
一方、図中、14は破線で図示したカッティングマシンの搬入出ロールを指している。また、12は本装置側の搬入出ロールを指している。更に、13は搬入出時に裏面を支持するテーブルである。このテーブル13には、図２に図示したように穴13aを形成して、その穴13aを介して上下で対を成す搬入出ロール12をして、シート材を挟持しながら搬送できるように構成されている。尚、前記したロール12,14は搬入時と搬出時では回転方向が替わる。
【００１３】
図２は、前記実施例装置の主要部を図示した平面図である。図中、51は上段リフター50上にある最上のカット済シートを指しているが、その幅（図面上下方向が幅方向）より幾分広い薄膜４がシート51の下に敷かれている。例えば、ポリエステル繊維からなるサラサラ感のある薄い布であるが、その右端部は自由端の状態であり、図面左端部は筒状部が出来るように縫製され、そこにクロスバー２が挿通されている。即ち、図1でも例示しているように、薄膜４はクロスバー２で一端が拘束されているものの他端はフリ―な状態でシート51の下に敷き込まれ、その余の部分は自然な垂下状態になっている。
【００１４】
尚、前記クロスバー２についてであるが、例えば、直径10〜25ｍｍの丸棒や角棒をして構成するが、シート51の幅方向に延在して、その両端をチェーン15によって支持されている。例えば、ホローピン型のチェーン15を利用するなら、両端軸部を細くして、両端ともに該チェーン15のピン穴に挿通することで支持させる。そして、前記チェーン15はチェーンスプロケット10,11に張架されてクロスバー２の往復動軌道を形成する。本願では、紙面右から左へ動くのを往動、その逆へ動くのを復動と規定して、後述するような往復動軌道を形成する。
【００１５】
また、図中、５ならびに６はターン棒であり、前者を前方ターン棒、後者を後方ターン棒と称し、例えば、直径10〜40ｍｍ程度の丸棒をして構成する。そして、望ましくは、その両端部にベアリング5aならびに6aを嵌装し、該ベアリング部をして支持した状態で軽く回転できるように構成する。また、図1ならびに図２で図示した通り、前方ターン棒５ならびに後方ターン棒６は、薄膜４の幅を超えて延在し、積載済シート51の図面右端と左端の外側に配置される。そして、図1の状態では、クロスバー２の往復動軌道に対して、両方とも上の位置に存在しているが、後述するように、必要に応じて、位置変更機構を差動して、クロスバー２の往復動軌道を上から下に横切って、下へ位置移動させたり、またその逆方向へ復帰させたりすることができる。
【００１６】
また、前記した薄膜４についてであるが、任意の形式で一端をクロスバー２に取付け、他単はフリーな自由端とし、図示した状態では、シート51の下で部分的に展開されたような状態になっている。具体的には、薄膜４の幅はシート51の幅と同程度であれば足り、布状のもの以外に薄い単体フィルムを使用することもできる。例えば、0.1ｍｍ、0.15ｍｍ、0.2ｍｍ程度のしなやかで滑りやすいオレフィン系等の樹脂フィルムをして薄膜４を構成する。もちろん、任意の化学繊維やシルク等の天然繊維系で成る布をして構成することもある。
【００１７】
さて、図３乃至図５に基づいて、先ず、材料シート42の最上に位置するシート41をカッティングマシンへ供給する工程について説明する。図中、53は公知のスライダーユニットを指し、図面左右方向にスライドするアーム54と、該アーム54の先端部に取り付けられた吸着パッド54aとで供給ユニットを構成している。また、該供給ユニットは本実施例では、前記上段リフター50の内部に設置されてローダー機構を構成している。そして、図３はアーム54ならびに吸着パッド54aが吸着動作に入った状態を図示し、図４は最上の材料シート41の右端部を持ち上げた状態を図示し、図５は材料シート41の先端部を搬入出ロール12に挟持搬送させるべくスライダー53が右動した状態を図示している。尚、搬入出ロール12はシート41の先端部を幾分挟持した後、供給方向へ回転始動しても良いし、あるいは挟持する前から回転状態にしておいても良い。また、斯様なローダー機構が供給動作を終えた後は、図示していないが、適当なタイミングで供給ユニットを元の状態に復帰させることは言うまでもない。
【００１８】
次に、この供給工程に於ける下段リフター40と、上段リフター50の高さ制御について説明する。まず下段リフター40についてであるが、テーブル13の上面を目標基準としてシート41の高さが適度な位置を維持するように制御機構が構成される。そして、上段リフター50については、例示した実施例装置の場合、供給ユニットを該上段リフター50に取付けているので、シート41の高さ位置を目標基準として高さ制御される。即ち、二つのリフターはそれぞれ独立した制御機構を備えているのである。尚、供給ユニットを上段リフター50に設置せず、高さ変化のない筐体等に設置してローダー機構を構成することも可能である。
【００１９】
以上が、供給工程での説明であるが、１枚のシート41を搬入出ロール12ならびに14をして供給し終えると、カッティングマシンは作業を開始し、その間に付帯設備側は作業終了時に搬出されてくるカット済シートを受取り上段リフター50上に積載するための準備に移る。即ち、図６の状態に移行する。以下、図14まで時系列的に図示しているので詳述する。
【００２０】
まず、図６に於いて、注目すべきは以下の事柄である。即ち、下段リフター40が上段リフター50の下降を阻害しないような位置、例えば、下段リフターの機械的な最下位置にあること、また上段リフター50も下降して該リフター50の最上にあるカット済シート51がクロスバー２の復動を阻害しない位置に位置制御されていること、次いで後方ターン棒６がクロスバー２の軌道を上から下に横切って下位置に移動していること、更に上段リフター50の下降に伴って薄膜４が自然垂下していることである。尚、薄膜４の開放端側の多くの部分は、シート51の下に挟まったままであることに変わりはない。
【００２１】
さて、下段リフター40に係る部分は省いて図示した図７についてであるが、この状態は図６の状態から、チェーン15をしてクロスバー２を紙面右方向へ移動している途上を図示したものである。即ち、自然垂下したゆるみを解消した後、後方ターン棒６によって薄膜４は表裏反転させられながらクロスバー２によって引っ張られる。この時、薄膜４の開放端側が移動するにつれてシート51が位置ずれする可能性が生じる。そのために筐体（図示せず）に固定されたスライダー43が作動し、更に昇降エアーシリンダー44が作動して、そのロッド先端に設けた吸着パッドをして、吸着保持することで位置ずれを防止する。尚、シート51が薄膜４の開放端部をどの程度敷き込んでいるかよって、斯様な位置ずれを招来するが、例えば、シート51の平面サイズに対して30％程度なら、自重による摩擦力の方が勝り、位置ずれ傾向を無視するできる。
【００２２】
次に、図７に引き続いて図８に図示した状態になる。即ち、クロスバー２が図示した位置に至ると、薄膜４はシート51の下から完全に引っ張り出されて、結果的にシート51の上面に展開された状態になる。尚、前記した吸着パッドによる吸着保持は、薄膜４の開放端部をして位置ずれを招来しないような位置に至った時点、あるいはそれ以降の任意の時点で元の状態に復帰させれば良い。
【００２３】
次に、図８に引き続いて図９に図示した状態にされる。即ち、前ターン棒５をクロスバー２の軌道に対して上から下に横切って下位置に移動させている。従って、薄膜４は、前方ターン棒５によって下に押さえられ、カッティングマシンから搬出されてくるシートを受け入れる準備が完了した状態になる。尚、図６乃至図８では上段リフター50の高さ制御は、クロスバー２の復動を阻害しない程度に上面位置決めするも、それ以上に空間的な余裕を与えるべく例えば10〜50ｍｍ程度低くして位置決めした状態を例示したが、図９ではクロスバー２の往動を阻害しない範囲で幾分上の位置を目標位置にして位置制御するのが望ましい。言い換えると、クロスバー２の復動時より往動時の方を幾分高く位置制御するのが望ましい。
【００２４】
図10は、カッティングマシンから搬出されてきたカット済シート1を搬入出ロール12とともに搬送している状態を図示している。即ち、シート1の先行端より幾分先行してクロスバー２が往動し、それに保持された薄膜４もまた、前方ターン棒５で表裏反転させながら移動する。そして、シート1の下面を薄膜４で覆いながら紙面左方へ進行すると同時に、その下側では薄膜４の開放端は前方ターン棒５に向かって進行する。また、更にその下側には先に積載したシートの上面が存在しているので、軽いとは言うものの、それらの自重をバックアップしている。そして、図10の状態から図11で図示した状態に至る。尚、図11では、スライダー43ならびに昇降エアーシリンダー44が作動して、シート1を吸着保持している状態を図示しているが、これはシート１をずれることなく整然と積載するためにシート1の到達位置を一定化させるもので、センサー等の公知手段で検出し、クロスバー２を一旦停止させて位置決めし、然る後に、クロスバー２を所定位置まで再往動させる。
【００２５】
次に図12であるが、図11の状態から後方ターン棒６を下位置に移動させ、また上段リフター50を幾分か下降させて、前記したようにクロスバー２の復動に備えている状態を図示している。更に、図13はクロスバー２を途中まで復動させた状態、図14は図13の状態からクロスバー２を復動から途中反転させて往動させ、元の位置に復帰させた状態を図示している。即ち、図12の状態から図14の状態までの変遷で、結果的に、薄膜４をシート1の下側から所定長さだけ引抜いた状態を実現している。尚、薄膜４を引抜く際に生じる位置ずれを防止するために、適時適当な間だけ、スライダー43ならびに昇降エアーシリンダー44を前記したように作動させ、また元の状態に復帰させている。
【００２６】
然して、カッティングマシンから搬出されてきたカット済シート1を受取り搬送し、積載するアンローダー機構が構成される訳であるが、ここで、シート1を受取り搬送している状態を図示した図10に基づいて、シート１の先行端とクロスバー２との位置関係について追記する。図では、クロスバー2が幾分先行している場合を例示しているが、具体的には50〜200ｍｍ程度先行させると、薄膜４がしなやかな布状であるので、シート1の先行端下部までも不用な空間を生じさせることなく搬送でき、結果的に薄膜４をしてシート1の下面を不足なくカバーすることが出来る。
【００２７】
尚、シート1の先行端を検出する公知のセンサー信号に関連してクロスバー２の往動を始動する訳であるが、必ずしも厳密な位置合わせを必要とせず、多少のズレがあっても大きな支障はない。即ち、シート1の先行端がクロスバー２より幾分先行した状態で進行しても、あるいは遅れるような関係で進行しても大きな障害を招来しない。更に述べるなら、図11で図示した状態に至るまでの過程で、シート先行端とクロスバーとの進行速度に多少の相対速度差が生じることあっても大きな障害は招来しない。要は、積載済シート42の上面で薄膜４を展開しながら搬入シート１の裏面を覆いつつ搬送できることが肝要である。また、この搬送工程では、搬入出ロール12からの搬送力付与に継続して、ある段階から薄膜４の上に載せられてのみの搬送に移行することになるが、必要なら移行するために一旦停止してから再起動するように構成することもできる。
【００２８】
さて、本発明実施例装置は、図14で図示した状態の次は、図１の状態に復帰する。即ち、
下段リフター40をしてその最上にある材料シート41を供給するための状態に遷移する。また、上段リフター50も上昇させて前記したローダー機構が起動できる体制に移る。尚、後方ターン棒６については、必ずしもこのタイミングである必要はないが、一旦、後述する位置変更機構に従って下から上に位置変更する。もちろん、薄膜４の自然垂下の態様が二重かさなりになったりすることもあるが、格別な支障がなければ、下位置を維持したまま図６の状態へ遷移させても良い。尚、薄膜４の弛み具合は、図13乃至図14で図示した通り、どの位置まで復動させて反転往動させるか、ならびに上段リフター50の積載量に依存するが、必要なら、常に緩みが過大になり過ぎないように前者を後者の積載量に関連ずけて自動制御する。
【００２９】
いずれにしても、以上の工程で材料シート１の供給からカット済シートの積載までの工程サイクルを完結する。尚、本願では、図1の状態をして工程サイクルの区切りとしたが、必要に応じて、その他の状態をして区切りにすることも可能である。
【００３０】
また、次のような変更例もある。即ち、図15乃至図17で図示した通り、図13の状態からクロスバー２を反転往動させることなく、そのまま復動を継続して、図15の状態に至らしめる。即ち、薄膜４を一挙に抜き去ってしまう。そして、前述した通り、下段リフター40ならびに上段リフター50を上昇させて図16の状態にする。即ち、図16の状態をして、工程サイクルの区切りとするのである。従って、この状態が次の材料シート41を供給するための初期的状態であり、カッティングマシンからの要求に呼応して、図17で図示した通り、スライダー53に取付けられたアーム54ならびにアーム54先端部に備えられた吸着パッド54aをして、材料シート41の先行端部を吸着持ち上げする。尚、このようにしてローダー機構が発動されて供給工程を完了し、またアンローダー機構によるカット済シート１の積載工程についても既に詳記した通りである。
【００３１】
以上が本願に於ける好ましい実施例装置の詳細であるが、特徴的なアンローダー機構について要約すると、カット済シート1の到来に備えて待機し、到来すれば薄膜４を取りつけたクロスバー２が往動して搬送し、次いで当該クロスバー２が復動することでシート下にある薄膜４を引抜いて積載を完了する。尚、本装置は、短いタクトで高速に稼働するものではなく、1枚のシートをカッティングするに要する時間は早くても５〜20分程度はかかるので、比較的にゆっくりした低速で稼働すれば足り、それ故に簡素な構造で安価な装置であることが必要条件になっている。
【００３２】
次に、ターン棒５（６）の位置変更機構について、好ましい実施例を図示した図18ならびに図19に基づいて詳しく説明する。図18は、本願実施例装置を、シート１の搬送方向上手から臨み、中央部を省略して図示したものである。また図19は、図18に関連する側面図である。尚、前方ターン棒５と後方ターン棒６とは設置位置が異なるだけであるので、以下、代表して、前方ターン棒５をして説明することとし、後方ターン棒６に関する位置変更機構の説明は省略する。
【００３３】
図中、5aは公知のベアリングである。ターン棒５の端部に２個ずつ合計４個嵌装されている。また、８は下側クランプを指し、図では内側にあるベアリング5aを把持している。また、７は上側クランプを指し、外側にあるベアリング5aに対峙した位置に配置されている。要するに、この実施例装置では、下側クランプ８は内側、上側クランプ７は外側のベアリング5aを把持するように構成されている。また、下側クランプ８は下側クランプシリンダーに8aよって開閉され、閉動で前記ベアリング5aを把持し、開動で把持状態を解除する。同様に、上側クランプ７は上側クランプシリンダー7aによって開閉され、閉動で前記ベアリング5aを把持し、開動で把持状態を解除する。更に、図中、8bは下側昇降シリンダーを指し、図18ではシリンダー8bのロッドが収縮した状態であり、この状態でターン棒５は前記した下の位置にある。
【００３４】
また、図19に於いて（a）〜（e）の５図面によって、実施例位置変更機構をして、ターン棒５を下の位置から上の位置へ位置移動させる態様例を図示している。即ち、（a）は、
下クランプ８でベアリング5aをクランプしてターン棒５が下の位置にある状態であり、（b）は開状態にある上クランプ７に向けて、下側クランプ８がベアリング5aを挟持したまま下側昇降シリンダー8bが伸長し、（ｃ）で上側クランプシリンダー7aの閉動により上側クランプ７もベアリング５a部を挟持し、次いで、（ｄ）では下側クランプ８が下側クランプシリンダー8aの開動によってベアリング5aを挟持することから開放し、（e）に至って、下側昇降シリンダー8bがロッド収縮して結果的にターン棒５を下の位置から上の位置に位置変更することを完了する。尚、上から下への位置移動については、前記とは逆に、図示した（e）から（a）に向かって遷移させれば位置の移動を行うことができる。また、例示したエアーシリンダーを主体とする位置変更機構は、その他の手段で構成することも可能であり、ターン棒５の両端部が同期して上下動するように構成する。また、これらの機構は、薄膜４やカット済シート１の搬送を阻害しない位置に設置される。
【００３５】
以上の通り、本発明に係るカッティングマシン用のローダーアンローダー装置は、対象とするシートが大判であるが故に、少ない設置スペースで済むことが特徴的である。また、しなやかな薄膜を主体とするアンローダー機構で構成されるので、全体的に簡素で安価な装置であること確実であり、段ボール函を製造する業界、紙や樹脂シートで箱やケースを製造する業界、プラ段（プラスチック製の段ボール）業界、発泡ウレタンやオレフィン樹脂でなる板材を型切りする看板業界、等々に於いて、業界に貢献すること大である。
【符号の説明】
【００３６】
1・・・カット済シート、2・・・クロスバー、4・・・薄膜、5・・・前方ターン棒、5a・・・ベアリング、6・・・後方ターン棒、7・・・上側クランプ、7a・・・上側クランプシリンダー、8・・・下側クランプ、8a・・・下側クランプシリンダー、8b・・・下側昇降シリンダー、10,11・・・チェーンスプロケット、12・・・搬入出ロール、13・・・テーブル、13a・・・穴、14・・・カッティングマシンの搬入出プーリー、15・・・チェーン、40・・・下段リフター、41・・・最上の材料シート、42・・・材料シート、43・・・スライダー、44・・・昇降エアーシリンダー、50・・・上段リフター、51・・・最上のカット済シート、52・・・カット済シート、53・・・スライダー、54・・・アーム、54a・・・吸着パッド・・・である。
【図１】
2019034839.tif 000003
【図２】
2019034839.tif 000004
【図３】
2019034839.tif 000005
【図４】
2019034839.tif 000006
【図５】
2019034839.tif 000007
【図６】
2019034839.tif 000008
【図７】
2019034839.tif 000009
【図８】
2019034839.tif 000010
【図９】
2019034839.tif 000011
【図１０】
2019034839.tif 000012
【図１１】
2019034839.tif 000013
【図１２】
2019034839.tif 000014
【図１３】
2019034839.tif 000015
【図１４】
2019034839.tif 000016
【図１５】
2019034839.tif 000017
【図１６】
2019034839.tif 000018
【図１７】
2019034839.tif 000019
【図１８】
2019034839.tif 000020
【図１９】
2019034839.tif 000021